(57)【要約】養成可能なトランシーバシステムは、車両内部要素に固定的に接続される。要請可能なトランシーバは、アクティブ化信号の特性を受信して、メモリに前記アクティブ化信号の前記特性を格納して、前記アクティブ化信号の特性を再送信するために構成される。要請可能なトランシーバシステムは、前記養成可能なトランシーバからの前記アクティブ化信号の前記特性を受信して、前記アクティブ化信号の特性を格納して、格納されたアクティブ化信号特性を再送信するために構成されるポータブル送信機を備える。アクティブ化信号の特性は、例えば光学式伝送又はＲＦ送信を解して養成可能なトランシーバからポータブル送信機に送信される。
2006509933.tif 000002
【特許請求の範囲】
【請求項１】
アクティブ化信号の特性を受信して、メモリに前記アクティブ化信号の前記特性を格納して、光学式伝送を介して前記アクティブ化信号の特性を再送信するために構成され、車両内部要素に固定的に接続される養成可能なトランシーバと、
光学式伝送を介して前記養成可能なトランシーバからの前記アクティブ化信号の前記特性を受信して、前記アクティブ化信号の特性を格納して、格納されたアクティブ化信号特性を再送信するために構成されるポータブル送信機
を備えることを特徴とする養成可能なトランシーバシステム。
【請求項２】
前記特性は、リモート装置を起動させるために構成されるデータコードを備えることを特徴とする請求項１に記載のシステム。
【請求項３】
前記データコードは、ガレージドアオープナーを起動させるために構成されることを特徴とする請求項２に記載のシステム。
【請求項４】
前記データコードは、暗号によってエンコードされたデータコードを備えることを特徴とする請求項２に記載のシステム。
【請求項５】
前記養成可能なトランシーバは、光学式信号を介して前記アクティブか信号の前記特性を送信するために構成される光学式送信機を備え、ここで前記ポータブル送信機は、光信号を受信するために構成される光学式受信機を備えることを特徴とする請求項１に記載のシステム。
【請求項６】
前記光学式送信機は、発光ダイオードであることを特徴とする請求項５に記載のシステム。
【請求項７】
前記ポータブル送信機は、キーフォブとして構成される筐体を備えることを特徴とする請求項１に記載のシステム。
【請求項８】
前記養成可能なトランシーバは、前記アクティブか信号の周波数及びデータコードを格納する為に構成され、ここで前記ポータブル送信機は、再送信された前記アクティブか信号の特性の周波数及びデータコードを受信する様に構成されることを特徴とする請求項１に記載のシステム。
【請求項９】
前記養成可能なトランシーバは更に、リモートキーレスエントリ送信機からのリモートキーレスエントリデータを受信して、前記リモートキーレスエントリデータを格納して、前記リモートキーレスエントリデータを前記ポータブル送信機に再送信するために構成されることを特徴とする請求項１に記載のシステム。
【請求項１０】
前記リモートキーレスエントリ送信機は、キーフォブとして構成される筐体を備えることを特徴とする請求項９に記載のシステム。
【請求項１１】
前記養成可能なトランシーバは、ワイヤレスでアクティブ化信号を受信し、前記アクティブ化信号に基づいて、格納される特性を決定するために構成されることを特徴とする請求項１に記載のシステム。
【請求項１２】
車両内部要素に固定的に接続され、アクティブ化信号の特性を受信して、メモリに前記アクティブ化信号の前記特性を格納して、ＲＦ信号を介して前記アクティブ化信号の前記特性を再送信するために構成される養成可能なトランシーバと、
前記ＲＦ信号を介して前記養成可能なトランシーバから前記アクティブ化信号の前記特性を受信して、前記アクティブ化信号の特性を格納して、格納されたアクティブ化信号特性を再送信するために構成されるポータブル送信機
とを備えることを特徴とする養成可能なトランシーバシステム。
【請求項１３】
前記ポータブル送信機は、固定ラジオ周波数上で再送信された前記アクティブ化信号の前記特性を受信するために構成される固定ラジオ周波数受信回路を備えることを特徴とする請求項１２に記載のシステム。
【請求項１４】
前記ポータブル送信機は、複数の周波数のいずれかで再送された前記アクティブ化信号の前記特性を受信するために構成されるブロードバンドラジオ周波数受信回路を備えることを特徴とする請求項１２に記載のシステム。
【請求項１５】
前記特性がリモート装置を起動させるために構成されるデータコードを備えることを特徴とする請求項１２に記載のシステム。
【請求項１６】
前記データコードは、ガレージドアオープナーを起動させるために構成されることを特徴とする請求項１５に記載のシステム。
【請求項１７】
前記データコードは、暗号によってエンコードされたデータコードを備えることを特徴とする請求項１５に記載のシステム。
【請求項１８】
前記ポータブル送信機は、キーフォブとして構成される筐体を備えることを特徴とする請求項１２に記載のシステム。
【請求項１９】
養成可能なトランシーバがアクティブ化信号ポータブル送信機がアクティブ化信号の再送信された特性の周波数およびデータコードを受信するために構成される周波数およびデータコードを格納するために構成される請求項12に記載のシステム。
【請求項２０】
前記養成可能なトランシーバは更に、リモートキーレエントリ送信機からのリモートキーレスエントリデータを受信して、前記リモートキーレスエントリデータを格納して、前記リモートキーレスエントリデータを前記ポータブル送信機に再送信するために構成されることを特徴とする請求項１２に記載のシステム。
【請求項２１】
前記リモートキーレスエントリ送信機は、キーフォブとして構成される筐体を備えることを特徴とする請求項２０に記載のシステム
【請求項２２】
前記養成可能なトランシーバは、ワイヤレスでアクティブ化信号を受信して、格納された前記アクティブ化信号に基づいて前記特性を決定するために構成されることを特徴とする請求項１２に記載のシステム。
【請求項２３】
車両内部要素に固定的に接続される筐体と、
筐体に接続され、アクティブ化信号の特性を受信して、前記特性をメモリに格納するために構成される制御回路と、
光学式信号を介して前記特性を伝送するために構成される光学式送信機
を備えることを特徴とする養成可能なトランシーバ。
【請求項２４】
ワイヤレスで前記アクティブ化信号の前記特性を受信するために構成される受信回路を更に備えていることを特徴とする請求項２３に記載の養成可能なトランシーバ。
【請求項２５】
前記制御回路に接続されたオペレータ入力装置を更に備え、前記制御回路は、前記オペレータ入力装置から前記アクティブ化信号の前記特性を受信する為に構成されることを特徴とする請求項２４に記載の養成可能なトランシーバ。
【請求項２６】
車両内部要素に固定的に接続される筐体と、
前記筐体に接続され、アクティブ化信号の特性を受信して、前記特性をメモリに格納するために構成される筐体に接続される制御回路と、
前記アクティブか信号の特性を学習し、ＲＦ信号を介して前記特性を示しているデータを送信する為に構成されるＲＦトランシーバ
を備えることを特徴とする養成可能なトランシーバ。
【請求項２７】
キーフォブとして構成される筐体と、
無線アクティブ化信号の特性を備えている光学式信号を受信するために構成される光学式受信機と、
前記特性をメモリに格納するために構成される制御回路と、
格納された前記アクティブ化信号の特性を再送信するために構成されるワイヤレス送信機
を備えることを特徴とする養成可能なキーフォブ。
【請求項２８】
前記制御回路は、前記アクティブ化信号の周波数及びデータコードを備えている前記無線アクティブ化信号の特性を受信するために構成されることを特徴とする請求項２７に記載の養成可能なキーフォブ。
【請求項２９】
キーフォブとして構成される筐体と、
無線アクティブ化信号の特性を備えているＲＦ信号を受信するために構成されるＲＦ受信機と、
前記特性をメモリに格納するために構成される制御回路と、
格納された前記アクティブ化信号の特性を再送信するために構成されるワイヤレス送信機
を備えることを特徴とする養成可能なキーフォブ。
【請求項３０】
前記ＲＦ受信機は、ブロードバンド受信機であることを特徴とする請求項２９に記載の養成可能なキーフォブ。
【請求項３１】
前記ＲＦ受信機は、ナローバンド受信機であることを特徴とする請求項２９に記載の養成可能なキーフォブ。
【発明の詳細な説明】
【背景技術】
【０００１】
ホームおよびオフィス電子回路システムの無線制御の分野において、技術進歩は便宜、セキュリティおよびユーザのための機能を改良するために発達した。１つの実施例は、セキュリティゲート、ガレージドアオープナー、ライト及びセキュリティシステムなどのさまざまなホームおよびオフィス電子回路システム用としての養成可能なトランシーバである。たとえば、ユーザは養成可能なトランシーバの付近の遠隔コントローラ（例えば本来の送信機）から、アクティブ化シグナルを送ることによって養成可能なトランシーバを養成する。養成可能なトランシーバは、シグナルのキャリア周波数および制御データを学んで、後の再送信のためのこのコードを格納する。このように、養成可能なトランシーバは、車両内部要素（例えばバイザー、計器板、オーバーヘッドコンソール、その他）の範囲内で、便利に取り付けられることができて、一つ以上のホーム電子的システムを作動するために構成されることができる。
【０００２】
特にホーム電子的システムを制御するために自動車エレクトロニクスを使用する場合、更なる前進が、ホーム電子的システムの無線制御の分野において必要である。自動車メーカが便宜、快適さおよび生産性を改良するために増加する電子的システムを車両に加えている度に、これらの電子的システムのインタフェースおよび制御を単純化することはまた、ますます重要になっている。
【０００３】
養成可能なトランシーバの効用に対する１つの制限は、それが固定的に車両内部要素に接続されるということで、養成可能なトランシーバが提供することができる使用を制限する。養成可能なキーフォブ（key fobs）が提案されたにもかかわらず、この種のキーフォブは一般的にコストを増して、スペースを消費して、電源消費を増やす更なる回路を必要とする。したがって、キーフォブなどのより小さくてより携帯可能で養成可能な送信機が必要である。更に、養成可能なトランシーバシステムの便宜および機能を改良する低コストで携帯可能な送信機が必要である。そこで更に、携帯可能なで養成できる送信機を訓練するシステム及び方法が必要である。
【０００４】
また、光学コンポーネントのような低価格コンポーネントを使用する養成可能なトランシーバシステムの要求がある。光学伝送は、ノイズにより影響されにくく、所定の期間に、他の伝送より多くのデータを提供することができる。そこで更に、更なる機能のために、能率的に既存の光学コンポーネントを利用する養成可能なトランシーバシステムが必要である。
【０００５】
教示は、以下にそれらが一つ以上の上述の要求を達成するに関係なく、添付の請求の範囲の範囲内に及ぶそれらの実施例に拡張する。
【発明の開示】
【課題を解決するための手段】
【０００６】
典型的な実施例によれば、養成可能なトランシーバシステムは、養成可能なトランシーバと、ポータブル送信機とを備えている。養成可能なトランシーバは、固定的に車両内部要素に接続される。養成可能なトランシーバは、アクティブ化信号の特性を受信して、アクティブ化信号特性をメモリに格納して、光学式伝送を介してアクティブ化信号特性を再送信する様に構成される。ポータブル送信機は、光学式伝送を介して養成可能なトランシーバからアクティブ化信号の特性を受信して、アクティブ化信号特性を格納して、格納されたアクティブ化信号特性を再送信する様に構成される。特性は、遠隔装置を動かす様に構成される制御データを備えても良い。制御データは、ガレージドアオープナーを動かす様に構成されることができる。制御データは、暗号的にエンコードされた制御データを備えても良い。
【０００７】
養成可能なトランシーバは、光学式信号または光信号を介してアクティブ化信号の特性を伝送するために構成される光学式送信機を更に備えてもよい。ポータブル送信機は、光信号を受信するために構成される光学式受信機を備えてもよい。光学式送信機は、発光ダイオードであってもよい。
【０００８】
ポータブル送信機は、キーフォブとして構成される筐体を備えてもよい。養成可能なトランシーバは、アクティブ化信号の周波数および制御データを格納するために構成されてもよい。ポータブル送信機は、養成可能なトランシーバによって再送信される周波数および制御データ特性を受信するために構成されてもよい。養成可能なトランシーバは、リモートキーレスエントリ送信機からのリモートキーレスエントリデータを受信して、リモートキーレスエントリデータを格納して、リモートキーレスエントリデータをポータブル送信機に再送信するために更に構成されてもよい。リモートキーレスエントリ送信機は、キーフォブとして構成される筐体を備えてもよい。養成可能なトランシーバは、ワイヤレスでアクティブ化信号を受信して、アクティブ化信号に基づいて格納される特性を決定するために構成されてもよい。
【０００９】
他の実施例に従って、養成可能なトランシーバはＲＦ伝送を経たアクティブ化信号の特性を再送信するために構成されても良く、そして、ポータブル送信機はＲＦ信号を経た養成可能なトランシーバから、アクティブ化信号の特性を受信するために構成される。ポータブル送信機は、複数の周波数のいずれかでアクティブ化信号の再送信された特性を受信するために構成されるブロードバンドラジオ周波数受信回路を備えてもよい。あるいは、ポータブル送信機は、複数の周波数のいずれかでアクティブ化信号の再送信された特性を受信するために構成される固定ラジオ周波数受信回路を備えてもよい。
【００１０】
典型的な他の実施例によると、養成可能なトランシーバは、筐体、制御回路及び光学式送信機を備えている。筐体は、固定的に車両内部要素に接続される。制御回路は、筐体に接続されて、アクティブ化信号の特性を受信して、特性をメモリに格納するために構成される。光学式送信機は、光学式信号による特性を伝送するために構成される。養成可能なトランシーバは、ワイヤレスでアクティブ化信号の特性を受信するために構成される受信回路を更に備えてもよい。養成可能なトランシーバは、制御回路に接続されるオペレータ入力装置を更に備えてもよく、このとき、制御回路はオペレータ入力装置からアクティブ化信号の特性を受信するために構成される。
【００１１】
典型的な他の実施例によると、養成可能なキーフォブは、筐体、光学式受信機、制御回路及びワイヤレス送信機とを備えている。筐体は、キーフォブとして構成される。光学式受信機は、無線アクティブ化信号の特性を備えている光学式信号を受信するために構成される。制御回路は、特性をメモリに格納するために構成される。ワイヤレス送信機は、格納されたアクティブ化信号特性を再送信するために構成される。制御回路は、周波数を備えている無線アクティブ化信号およびアクティブ化信号の制御データの特性を受信するために構成されてもよい。別の実施例によれば、有線の接続のための構成要素は、光学構成要素に置き換えることができる。
【００１２】
典型的なさらにもう一つの実施例によると、養成可能なキーフォブは、キーフォブとして構成される筐体と、無線アクティブ化信号の特性を備えるＲＦ信号を受信するＲＦ受信回路と、特性をメモリに格納するために構成される制御回路と、格納されたアクティブ化信号の特性を再送信するために構成されるワイヤレス送信機とを備えている。ＲＦ受信機は、ブロードバンド受信機または狭帯域受信機であってもよい。
【００１３】
典型的な他の実施例によると、養成可能なトランシーバは、筐体、制御回路及びＲＦトランシーバを備えている。筐体は、固定的に車両内部要素に接続される。制御回路は、筐体に接続されて、アクティブ化信号の特性を受信して、特性をメモリに格納するために構成される。ＲＦトランシーバは、アクティブ化信号の特性を学習して、ＲＦ信号を介した特性を示しているデータを送信するために構成される。
【発明を実施するための最良の形態】
【００１４】
まず、図１を参照すると、自動車、トラック、スポーツ多用途車（ＳＵＶ）、ミニバンまたは他の車両などの車両１０は、養成可能なトランシーバ１２および携帯可能な送信機１３を備える養成可能なトランシーバシステム１１を含む。典型的な実施例が以下に記載されている養成可能なトランシーバ１２が、車両１０のオーバーヘッドコンソールに固定的に接続されてまたは取り付けられる様に例示されている。あるいは、養成可能なトランシーバ１２の要素のうちの１つ以上は、例えばバイザー１４または計器板１６などの他の車両内部要素に取り付けられても良い。携帯可能な送信機１３は、キーフォブ、キーチェーンまたは他の手で持てるサイズの装置として構成される筐体から成る。キーフォブは、鍵がついているか、遠隔でキーのないエントリなどの無線のアクセスを車両に提供している手で持てるサイズの装置である。
【００１５】
次に図２を参照すると、養成可能なトランシーバシステム１１は、例えばガレージドアオープナー、セキュリティゲート制御システム、セキュリティ光、固定治具または器具に点火しているホーム、ホームセキュリティシステム、その他などの複数の家庭の電子的システムのいずれかでありえるホーム電子的システム１８とともに、例示される。たとえば、ホーム電子的システム１８は、イリノイ州エルムハストのチェンバレングループ会社によって製造されるウィスパードライブ（登録商標）ガレージドアオープナーなどのガレージドアオープナーであってもよい。ホーム電子的システム１８は、また、Ｘ１０通信規格を使用している照明制御システムであってもよい。ホーム電子的システム１８は、ホーム電子的システム１８を制御する制御データを含んでいるアクティブ化信号を受信するためのアンテナ２８を備える。アクティブ化信号は、好ましくは無線周波数スペクトラムのデシメートル波（ＵＨＦ）帯域であって、あるいは、赤外線信号または他の無線信号であってもよい。
【００１６】
養成可能なトランシーバ１２は、システム１２の様々な部分を制御し、メモリにデータを格納し、予めプログラムされた機能をデータをメモリに格納するために、システム１２のさまざまな部分を操作するために構成される制御回路３０を含む。制御回路３０は様々な形の制御回路、デジタルおよび／またはアナログを含み、マイクロプロセッサ、マイクロコントローラ、特定用途向け集積回路（ＡＳＩＣ）、さまざまな他の回路を含み、入出力、制御、解析および後述する他の機能を実行するために構成される。制御回路３０は、一つ以上の押しボタンスイッチ３４（図３を参照）を含むが、あるいは、他のユーザ入力装置を含むことができるオペレータ入力装置３２（例えばスイッチ、ノブ、ダイヤル、その他）に接続される、または車両占有者からの音声信号を受信して、システム１２の制御のために、制御回路３０にこの種の信号を提供するために構成される音声作動入力制御回路であっても良い。養成可能なトランシーバ１２は、揮発性または不揮発性メモリであるメモリ７４を更に含み、読取り専用メモリ（ＲＯＭ）、ランダムアクセスメモリ（ＲＡＭ）、フラッシュメモリまたは他のメモリータイプを含むことができる。
【００１７】
制御回路３０は更に、この典型的な実施例では発光ダイオード（ＬＥＤ）を含む光学式送信機３８に接続される。あるいは光学式送信機３８は、例えば液晶ディスプレイ（ＬＣＤ）、真空の開花したディスプレイ（ＶＦＤ）、その他のディスプレイエレメントを含むことができる。
【００１８】
養成可能なトランシーバ１２は、アンテナ５６を介してホーム電子的システム１８と通信するために構成して送信及び／又は受信回路含むトランシーバ回路５４を含む。トランシーバ回路５４は、ホーム電子的システム１８を制御する制御データを有する無線制御信号を伝送するために構成される。制御回路３０の制御かであるトランシーバ回路５４は、構成される、デシメートル波レンジ、好ましくは２６０乃至４７０メガヘルツ（MHz）間の周波数のいずれかで、キャリア周波数を生成するために構成される。ここで、キャリア周波数信号で調整される制御データは周波数シフトキー（ＦＳＫ）、または、振幅シフトキー（ＡＳＫ）であっても良く、他の調整技術を利用しても良い。無線制御信号上の制御データは固定されたコードであってもよい、または、圧延コードまたは、その他のホーム電子的システム１８の用途に適している暗号的にエンコードされた制御コードであっても良い。
【００１９】
次に図３を参照して、典型的な養成可能なトランシーバ１２は、車両内部要素、すなわち、バイザー１４に接続されて例示される。バイザー１４は従来の構造であって、保護されるか革の外側に囲まれている実質的に平坦な、耐久性がある内部を使用する。養成可能なトランシーバ１２は、例えばスナップ、棘、ネジ、ボス、その他などの締めつけ具によって取り付けられ又は固定的にバイザー１４に接続され、そこに形成された３つの押しボタンスイッチを備えて成形されたプラスチックボディ５８を含む。スイッチの各々は、それぞれのバックライト付のアイコン４０、４２、４４を含む。ボディ５８は、ボディを５８に刻まれるかまたは印刷されるロゴ６０を更に含み、それらに配置された光学式送信機３８を有する。トレーニングの間、そして、オペレーションの間、光学式送信機３８は、例えば、養成しているプロセスが成功したかどうか、制御システム１２が無線制御信号等を伝送しているかどうかなどの、ユーザに特定の情報を伝えるために制御回路３０（図２）によって、選択的に点火される。図３に示される実施例は単に典型的なだけである、そして、別の実施例は様々な形状およびサイズをとることができて、様々な異なる要素を有することができる。
【００２０】
操作中に、養成可能なトランシーバ１２は、オリジナル送信機１０２から送り出されるアクティブ化信号の一つ以上の特性を受信するために構成される。オリジナル送信機１０２は、一般的にはハンドヘルドの送信機であって、ホーム電子的システム１８と共に、或いはアフターマーケットアイテムとして販売される。更にオリジナル送信機１０２は、予め定められたキャリア周波数でアクティブ化信号を送るために構成されて、ホーム電子的システム１８を起動させるために構成される制御データを有している。たとえば、オリジナル送信機１０２は、例えば３５５メガヘルツ（ＭＨｚ）などの周波数で、ガレージドアオープナー信号を送るために構成される手で持てるサイズのガレージドアオープナー送信機であっても良く、そこで、アクティブ化信号は、固定されたコードまたは暗号によってエンコードされたコードである制御データを有する。ホーム電子的システム１８は、たとえば、オリジナル送信機１０２からアクティブ化信号を受信することに応答してガレージドアを開くために設定される。
【００２１】
養成可能なトランシーバ１８は、オリジナル送信機１０２からまたは他の供給源からアクティブ化信号の一つ以上の特性を受信するために構成され、ここで特性は、周波数、制御データ、変調スキーム、暗号化アルゴリズム、その他を含む。本実施例において、養成可能なトランシーバはアクティブ化信号を受信することによってアクティブ化信号の少なくとも一つの特性を学習し、アクティブ化信号の周波数を決定して、アクティブ化信号から制御データを復調するために構成される。養成可能なトランシーバ１２は、ジョンソンコントロールズインテリアズＬＬＣ、オランダ、ミシガンによって製造されるホームリンク（商標）養成可能なトランシーバであっても良く、アメリカ特許番号5,614,891、6,091,343、5,854,593または5,708,415において開示される一つ以上の実施例によって構成されることができる。そして、それはそれらの全体において本願明細書において引用したものとする。あるいは、養成可能なトランシーバ１２は、周知のシステム又はその他の方法の、例えばスキャン受信機、ブロードバンドＲＦ検出器、ユーザ入力選択、「思考錯誤」選択などのアクティブ化信号の特性を学ぶかまたは決定するために構成される送信機またはトランシーバに置き換えられることができる。たとえば、アクティブ化信号の一つ以上特性は、養成可能なトランシーバ１２の製造の間にメモリ７４に予めプログラムされていても良いし、キーパッド、ボタンなどを含むオペレータ入力装置３２を介して入力されても良い。このように、養成可能なトランシーバ１２は、アクティブ化信号の特性を得るために、実際にアクティブ化信号を受信することを必要としないアクティブ化信号を受信する。養成可能なトランシーバ１２は、これらの方法のいずれかによる信号の特性を受信することができて、アクティブ化信号の特性をメモリ７４に格納することができる。
【００２２】
再び図２を参照すると、ブロック図形式でポータブル送信機１３が示されている。ポータブル送信機１３は制御回路１０４を備え、制御回路３０に関して記載されている制御回路の一つ以上の構成要素を含むことができる。ポータブル送信機１３は更に、オペレータ入力装置１０６、送信回路１０８及び受信回路１１０を備えている。受信回路は、オリジナル送信機の一つ以上の特性を含んでいる養成可能なトランシーバから、データを受信するように構成される。本実施例において、養成可能なトランシーバ１２は、ポータブル送信機１３にアクティブ化信号の一つ以上の特性を伝送するために構成される。養成可能なトランシーバ１２は、アクティブ化信号自身（すなわち、アクティブ化信号のキャリア周波数および制御データを使用して）を伝送することができ、または、養成可能なトランシーバ１２は、他のいかなる伝送周波数、データコード、変調スキームまたは他の信号特性を使用してアクティブ化信号の一つ以上特性を伝送することができる。本実施例において、養成可能なトランシーバ12は、光学式送信機３８を光信号を伝送するために制御することによって光信号の上へアクティブ化信号（および／または他のデータコード特性）の制御データを調整するために構成される。好ましくは、光信号が人間の目に着実に点火されるように見えるように、制御コードは高い十分な周波数（例えば少なくとも38kHz、40kHzまたは455kHz）で調整される。
【００２３】
光学式送信機３８は発光ダイオードでありえて、本願明細書において記載されている度に、養成可能なトランシーバ１２のトレーニングの間、オペレータを有する上記を通信する両方の機能に貢献することができるおよび／または、光学式送信機３８はオリジナル送信機１０２からポータブル送信機１３へアクティブ化信号の一つ以上の特性を転送するために用いることができる。ポータブル送信機１３は、養成可能なトランシーバ１２からのアクティブ化信号の特性を受信して、後の使用するためメモリ１１２に特性を格納するために構成される。アクティブ化信号として、ポータブル送信機１３は格納され、好ましくはアクティブか信号自体であって、ホーム電子的システム１８を起動させるために、ホーム電子的システム１８にとって適当な周波数および制御データを有するアクティブ化信号特性として再送信することができる。
【００２４】
１つの典型的な実施例によれば、養成可能なトランシーバ１２がトランシーバ回路５４を介してアクティブ化信号を送る度に、養成可能なトランシーバ１２は光学式送信機３８によって伝送される光信号に、データパケットを調整する。一般的に、これはオペレータ入力装置３２のオペレータ作動に応答して発生するが、車両の場所、日時その他のような、他のイベントは伝送のトリガーとなりうる。
【００２５】
ポータブル送信機１３は、光学式受信機又は写真センサーであって、制御回路１０４の制御下で光信号自体を受信しデコードする受信回路１１０を備えている。例えば、ドイツのハイルブロンのビスヘイ半導体会社（Vishay Semiconductor GmbH）によって製造されるＴＳＯＰ７０００（455kHz）又はＴＳＯＰ２２４０が使用される。本実施例において、オペレータ入力装置１０６のボタンが起動させられるたびに、受信回路１１０は予め定められた伝送速度および変調形式で、光学式送信機３８から光学式信号を受信する様に構成される。あるいは、ポータブル送信機１３は、受信回路１１０が光学式送信機３８から光信号を受信する様に構成される受信モードにデフォルト設定する様に構成される。受信回路１１０が養成可能なトランシーバ１２から信号を検出する場合、受信回路１１０は信号を受信し、制御回路１０４はオペレータ入力装置１０６が起動する次のときに使用するために、アクティブ化信号特性を使用のためのメモリ１１２に格納するために構成される。
【００２６】
あるいは、養成可能なトランシーバ１２およびポータブル送信機１３は、電気接続（例えば有線の接続）を経て通信するために構成されることができる。このとき、養成可能なトランシーバ１２は、データ接続ポート（図示せず）を更に含み、受信回路１１０は、超音波伝送のデータ接続ポートに置き換えられ、光学式送信機３８および受信回路１１０は、音又は超音波トランスデューサ（誘導的結合）に置き換えられ、光学式送信機３８および受信回路１１０が誘導の巻線（容量技術）に置き換えられ、光学式送信機３８および受信回路１１０は、容量カップリング（ＬＦ信号）を経て送信する様に構成され、光学式送信機３８および受信回路はそれぞれＬＦ送信機および受信機に、或いは無線周波数信号に置き換えられ、光学式送信機３８は、ＲＦ送信回路に置き換えられ、受信回路１１０は、ＲＦ受信回路に置き換えられる。別の実施例において、無線周波数信号が養成可能なトランシーバ１２およびポータブルトランシーバ１３間でアクティブ化信号特性を通信するために用いるとき、トランシーバ回路５４およびアンテナ５６は、アクティブ化信号特性をポータブル送信機１３へ転送するために用いることができる。あるいは、受信回路１１０は、複数の周波数または固定周波数受信回路のいずれかで、信号を受信するために構成されるブロードバンド受信機であっても良い。固定周波数またはブロードバンド受信回路のどちらでも、より低いコストを有して、調整できる受信機がいくつかの実施例でも使用されるにもかかわらず、調整できる受信機より構成においてシンプルである。好ましくは、養成可能なトランシーバ１２はこの種の通信のための適当なハードウェアを有するコマーシャル実施例において構成されるので、光学式又はラジオのいずれの周波数方法も使われる。もう一つの実施例では、ポータブル送信機１３は、オリジナル送信機１０２のアクティブ化信号の少なくとも一つの特性を運ぶ信号のいかなる種類も受信するために構成されることができる。
【００２７】
有効な１つの実施例によれば、ポータブル送信機１３は、キーフォブとして構成される筐体を備える。
【００２８】
更なる有効な実施例によれば、養成可能なトランシーバ１２は、リモートキーレスエントリデータをリモートキーレスエントリ送信機から受信し、リモートキーレスエントリデータを格納し、ポータブル送信機１３にリモードキーレスエントリデータを送信する様に構成されても良い。ポータブル送信機１３は、それから、たとえばオペレータ入力装置１０６の作動に答えて、リモートキーレスエントリデータを再送信するために用いることができる。このように、ポータブル送信機１３は最初のオペレータ入力装置作動（例えば第１ボタン）に答えて、ホーム電子的システム１８を作動するためにアクティブ化信号を送るために構成されてもよく、第２のオペレータ入力装置作動（例えば第２ボタン）に答えて、ポータブル送信機１３はオペレータが車両１０（図１）に接近することができるためにリモートキーレスエントリ信号を送るために構成されても良い。ポータブル送信機１３が養成しているリモートキーレスエントリ送信機は、キーフォブとして構成される筐体を備えても良い。ポータブル送信機１３は、それぞれは異なるデータコード、変調形式および／または周波数、その他を有する複数の遠隔鍵のないエントリ信号を格納するために構成されても良い。このように、単一のポータブル送信機は、ガレージドアオープナー、ホーム照明、無線ドアロック（車両またはホーム/オフィス）、セキュリティシステム、その他を制御するためにアクティブ化信号または他の無線信号を送る様に構成されても良い。
【００２９】
１つの典型的な実施例によれば、養成可能なトランシーバ１２は、固定的に車両内部要素に接続される。この固定カップリングは、都合がいい場所を車両１２の養成可能な送信機に提供して、よりはるかにオペレータに対して失敗、置き間違い、紛失、或いは他の養成可能なトランシーバ１２の制御の失敗を妨げる。「固定的に、接続される」期間は、それが車両内部要素（たとえば、摺動構成の）の範囲内で移動することができるにもかかわらず、養成可能なトランシーバ１２が車両内部要素から着脱可能でない特性を参照する。
【００３０】
１つの典型的な実施例によれば、ポータブル送信機は、一般的にカーブして、従来の正方形の本来の送信機より小さいキーフォブとして形成される筐体を備えることができる。
【００３１】
１つの利点によると、ポータブル送信機１３は、養成可能なトランシーバ１２によって格納されるアクティブ化信号の特性の可搬性を提供するが、トランシーバまたは周波数高精度のトランシーバの代わりに送信機を使うなど、一部に安価なものが使われるそれらの実施例において、より高価でない。１つの安価な実施例において、ポータブル送信機１３の受信回路１１０は、例えばコイル、ダイオードおよびコンデンサを備えているかまたは成っているシンプルなラジオ周波数範囲検出器であっても良い。
【００３２】
１つの典型的な実施例によれば、ポータブル送信機１３は養成可能なトランシーバ１２からそれ自体のクローンをつくる。そして、それはデータが養成可能なトランシーバ１２からポータブル送信機１３まで、制御データを繰り返すのに十分なデータとオリジナル送信機１０２から送信されたアクティブ化信号の周波数が転送され、送り出されたことを意味する。
【００３３】
１つの典型的な実施例によれば、ポータブル送信機１３は、養成可能なトランシーバ１２より小さくてよりポータブルである。
【００３４】
別の実施例によれば、養成可能なトランシーバ１２およびポータブル送信機１３間の養成の又はクローン化のプロセスは、養成可能なトランシーバ１２およびポータブル送信機１３間の物理的な、有線の接続を確立することによって、オペレータ入力装置３２の手動押圧に応じてあるいは、自動的に、起動させられることができる。そこで、養成可能なトランシーバ１２はオペレータ入力装置３２のアクティブ化のデータを伝送し、ポータブル送信機１３は常時オンモードの受信回路１１０を維持し、それは養成可能なトランシーバ１２の光学式送信機３８から、データを受信する様に構成される。
【００３５】
別の実施例によれば、ポータブル送信機１３は、養成可能なトランシーバ１２からいずれの固定されたコードもまたは圧延コード遠隔鍵のない入口データの特性を示すデータを受信する様に構成されることができる。圧延コードシステムは、情報を暗号化するために秘密の暗号化キーおよび圧延カウンタを利用する。制御回路１０４は、この種の圧延コードシステムで作動するために構成されることができる。暗号化キーは、制御回路１０４に予めプログラムされることができるか、またはおそらく養成可能なトランシーバ１２から送られる信号から、制御回路１０４によって学習しても良い。
【００３６】
１つの典型的な実施例によれば、それらが養成している間、選ばれた順序において、異なる無線制御信号が伝送される。別の実施例によれば、養成可能なトランシーバ１２は、例えば供給源装置が手動でプログラムされるなど、養成可能でないかトランシーバでない供給源装置であっても良い。
【００３７】
典型的な実施例を図において実例を示した。そして、上記の記載は目下のところ好適であるが、これらの実施例が実施例だけとして提供されると理解されなければならない。例えば、別の実施例は、オフィス照、または、セキュリティシステムまたは駐車場ドアは制御されるなどのコマーシャル市場に、適切でもよい。したがって、本発明は特定の実施例に限られず、添付の請求の範囲の範囲内にかかわらずさまざまな変形例に及ぶ。
【図面の簡単な説明】
【００３８】
【図１】図１は、典型的な実施例による、養成可能なトランシーバシステムを有する車両の斜視図である。
【図２】図２は、典型的な実施例による、養成可能なトランシーバシステムおよびホーム電子的システムのブロック図である。
【図３】典型的な実施例による、固定的に接続される養成可能なトランシーバを有するバイザーの概略図である。
【図１】
2006509933.tif 000003
【図２】
2006509933.tif 000004
【図３】
2006509933.tif 000005
【国際調査報告】
2006509933.tif 000006
2006509933.tif 000007